【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
放送波型放送及びＩＰ型放送両用の放送受信機であって、
選択局の放送波型放送のコンテンツ又は前記放送波型放送に対応付けられているＩＰ型放送のコンテンツを出力する放送出力部、及び
前記選択局のＩＰ型放送のコンテンツを出力可能な場合には、前記放送出力部に前記選択局のＩＰ型放送のコンテンツを出力させ、前記選択局のＩＰ型放送のコンテンツを出力不可能な場合には、前記放送出力部に前記選択局の放送波型放送のコンテンツを出力させる出力制御部、
を備えることを特徴とする放送受信機。
【請求項２】
前記出力制御部は前記選択局がＩＰ型放送を実施していない場合を前記選択局のＩＰ型放送のコンテンツを出力不可能な場合として判断することを特徴とする請求項１記載の放送受信機。
【請求項３】
前記出力制御部は前記選択局がＩＰ型放送を実施している場合で、かつ、前記ＩＰ型放送を受信可能な場合を前記選択局のＩＰ型放送のコンテンツを出力可能な場合として判断することを特徴とする請求項１又は２記載の放送受信機。
【請求項４】
前記選択局の放送波についてその信号レベルを検出する信号レベル検出部を備え、
前記出力制御部は、前記選択局がＩＰ型放送を実施している場合で、かつ、前記信号レベル検出部で判断した検出信号レベルが所定値以上である場合を前記選択局のＩＰ型放送のコンテンツを出力可能な場合として判断することを特徴とする請求項１から３のいずれか１項に記載の放送受信機。
【請求項５】
前記選択局の放送波についてその信号レベルを検出する信号レベル検出部を備え、
前記出力制御部は、前記信号レベル検出部で判断した検出信号レベルが所定値未満である場合を前記選択局のＩＰ型放送のコンテンツを出力不可能な場合として判断することを特徴とする請求項１から４のいずれか１項に記載の放送受信機。
【請求項６】
前記選択局のＩＰ放送の実施有無を管理サーバに問い合わせる通信部を備え、
前記出力制御部は前記管理サーバからの返答により、前記選択局のＩＰ放送の実施有無を判断する請求項２から４のいずれか１項記載の放送受信機。
【請求項７】
放送局とＩＰ型放送の配信サーバを特定する情報とを対応付けて記憶した管理サーバに対して前記選択局の配信サーバを特定する情報を問い合わせるサーバ検索部、及び
前記管理サーバから前記選択局の配信サーバを特定する情報が返答された場合は、前記返答された選択局の配信サーバを特定する情報に基づいて前記選択局の配信サーバにアクセスして前記選択局のＩＰ放送のコンテンツを取得するアクセス部を備え、
前記出力制御部は前記アクセス部が前記選択局のＩＰ型放送のコンテンツを取得した場合、前記放送出力部に前記選択局のＩＰ放送のコンテンツを出力させることを特徴とする請求項１から５のいずれか１項に記載の放送受信機。
【請求項８】
前記選択局の放送波についてその周波数を検出する周波数検出部、
管理サーバへ検出周波数の情報を送信するとともに前記管理サーバから前記検出周波数の放送波型放送に対応付けられているＩＰ型放送の配信サーバを特定する情報を受信するサーバ検索部、及び
前記配信サーバを特定する情報が判明した場合には前記配信サーバを特定する情報に基づき前記配信サーバヘアクセスして前記選択局のＩＰ型放送のコンテンツを取得するアクセス部、を備え、
前記出力制御部は前記アクセス部が前記選択局のＩＰ型放送のコンテンツを取得した場合、前記放送出力部に前記選択局のＩＰ型放送のコンテンツを出力させることを特徴とする請求項１から５のいずれか１項に記載の放送受信機。
【請求項９】
現在位置を検出する現在位置検出部を備え、
前記サーバ検索部は検出された現在位置及び検出された周波数を前記管理サーバに送信するとともに前記管理サーバから前記検出された現在位置及び検出された周波数の放送波型放送に対応付けられているＩＰ型放送の配信サーバを特定する情報を受信することを特徴とする請求項８記載の放送受信機。
【請求項１０】
現在位置を検出する現在位置検出部、
前記選択局の放送波についてその周波数を検出する周波数検出部、及び
前記放送波の放送波型放送に対応付けられているＩＰ型放送の配信サーバを特定する情報を、前記検出された現在位置及び周波数に基づき検索するサーバ検索部、及び
前記出力制御部は、前記検出された現在位置及び周波数に該当する配信サーバを特定する情報が見つかった場合、前記配信サーバを特定する情報に基づき前記配信サーバへアクセスして前記選択局のＩＰ型放送の配信コンテンツを取得するアクセス部、を備え、
前記出力制御部は、前記アクセス部が前記ＩＰ放送のコンテンツを取得した場合、前記選択局のＩＰ型放送のコンテンツを前記放送出力部に出力させることを特徴とする請求項１から５のいずれか１項に記載の放送受信機。
【請求項１１】
前記選択局と前記選択局のＩＰ型放送の配信コンテンツを配信する配信サーバを特定する情報とを対応付けて記憶する記憶部を備え、
前記出力制御部は、前記記憶部に前記選択局の配信サーバを特定する情報が格納されているか否かを判別して前記選択局のＩＰ放送の実施有無を判断する請求項２から５のいずれか１項に記載の放送受信機。
【請求項１２】
前記選択局の放送波についてその信号レベルを検出する信号レベル検出部を備え、
前記出力制御部は、前記放送出力部が前記選択局のＩＰ型放送のコンテンツを出力している場合に、前記検出信号レベルが前記所定値未満になると、前記放送出力部の出力を前記選択局の放送波型放送へ切替えることを特徴とする請求項１から３のいずれか１項に記載の放送受信機。
【請求項１３】
前記選択局の放送波についてその信号レベルを検出する信号レベル検出部を備え、
前記出力制御部は、前記放送出力部が前記選択局の放送波型放送のコンテンツを出力している場合に、前記検出信号レベルが前記所定値以上になると、前記放送出力部の出力を前記選択局のＩＰ型放送へ切替えることを特徴とする請求項１から３のいずれか１項に記載の放送受信機。
【請求項１４】
前記選択局はアナログラジオ放送の放送局であることを特徴とする請求項１から１３のいずれか１項に記載の放送受信機。
【請求項１５】
放送波型放送及びＩＰ型放送両用の放送受信機制御方法であって
選択局がＩＰ型放送を出力可能か否か判断するステップ、及び
選択局がＩＰ型放送を出力可能な場合は前記選択局のＩＰ型放送のコンテンツを出力させ、前記選択局がＩＰ型放送を出力不可能な場合は前記選択局の放送波型放送のコンテンツを出力させるステップ、
を有する放送受信機制御方法。
【請求項１６】
請求項１５に記載の放送受信機制御方法をコンピュータに実行させる放送受信機制御プログラム。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】変更
【補正の内容】
【００１７】
本発明の放送受信機は放送波型放送及びＩＰ型放送両用であって、
選択局の放送波型放送のコンテンツ又は前記放送波型放送に対応付けられているＩＰ型放送のコンテンツを出力する放送出力部、及び
前記選択局のＩＰ型放送のコンテンツを出力可能な場合には、前記放送出力部に前記選択局のＩＰ型放送のコンテンツを出力させ、前記選択局のＩＰ型放送のコンテンツを出力不可能な場合には、前記放送出力部に前記選択局の放送波型放送のコンテンツを出力させる出力制御部、
を備える。
【手続補正４】
【補正対象書類名】明細書
【補正対象項目名】００１８
【補正方法】変更
【補正の内容】
【００１８】
本発明の放送受信機制御方法は放送波型放送及びＩＰ型放送両用の放送受信機制御方法であって
選択局がＩＰ型放送を出力可能か否か判断するステップ、及び
選択局がＩＰ型放送を出力可能な場合は前記選択局のＩＰ型放送のコンテンツを出力させ、前記選択局がＩＰ型放送を出力不可能な場合は前記選択局の放送波型放送のコンテンツを出力させるステップ、
を有する。
【手続補正５】
【補正対象書類名】明細書
【補正対象項目名】００１９
【補正方法】変更
【補正の内容】
【００１９】
本発明の放送受信機制御プログラムは
選択局がＩＰ型放送を出力可能か否か判断するステップ、及び
選択局がＩＰ型放送を出力可能な場合は前記選択局のＩＰ型放送のコンテンツを出力させ、前記選択局がＩＰ型放送を出力不可能な場合は前記選択局の放送波型放送のコンテンツを出力させるステップ、
をコンピュータに実行させる。
【手続補正６】
【補正対象書類名】明細書
【補正対象項目名】００４９
【補正方法】変更
【補正の内容】
【００４９】
図１の放送システム１０では、周波数を変更した際に受信信号レベルが一定の値を下回っており、受信品質が十分に確保できない場合に、インターネット１６経由で配信される放送は受信せず、放送波で配信される放送を出力するようになっている。これに対し、図８の放送切替方法７１に係る放送システムでは、放送波を受信できない状況においても、受信機の現在位置をＧＰＳ衛星１７からのＧＰＳ電波から取得した情報によって特定できる状況にあれば、該受信できない放送波の放送が放送対象地域内であるか否かを現在位置から判別できるので、インターネット１６経由で配信される放送を視聴できるか否かを現在位置に基づき決める。